(57)【要約】【課題】要求に応じて戸の開度を変えることができる用心錠を提供する。【解決手段】ケース１０内に一回転方向に付勢されたリール２０と、リール２０に巻かれて引出しと巻取りが自在になされるロックワイヤ１５と、ロックワイヤ１５が所定の長さに引き出された場合にはロックワイヤ１５が引き出される方向へのリール２０の回転を阻止するラチェット機構３０とを備え、ラチェット機構３０が、リール２０に着脱自在に、且つ、リール２０と共に回転するように設けられたラチェットホイール２２と、ケース１０に揺動自在に配設され、ラチェットホイール２２のラチェット係合部２４と係合してリール２０の回転を阻止するラチェットアーム３１とから用心錠１を構成する。【選択図】　　　図１
2004019216.tif 000002
【特許請求の範囲】
【請求項１】
ケース内に回動自在に設けられ且つ付勢部材によって一回転方向に付勢されたリールと、このリールに巻かれて引出しと巻取りが自在になされるロックワイヤと、このロックワイヤが所定の長さに引き出された場合には該ロックワイヤが引き出される方向への前記リールの回転を阻止するラチェット機構とを備えることで戸の開き幅を規制する用心錠であって、
前記ラチェット機構が、前記リールに着脱自在に、且つ、該リールと共に回転するように設けられたラチェットホイールと、
前記ケースに揺動自在に配設され、前記ラチェットホイールのラチェット係合部と係合して前記リールの回転を阻止するラチェットアームとから構成されたことを特徴とする用心錠。
【請求項２】
請求項１に記載の用心錠において、
前記リールと前記ラチェットホイールがスプライン結合されていることを特徴とする用心錠。
【請求項３】
請求項１、または請求項２に記載の用心錠において、
前記ラチェットホイールとラチェットアームの係合を保持・解除するロック機構が前記ケース内に設けられたことを特徴とする用心錠。
【発明の詳細な説明】
【０００１】
【発明の属する技術分野】
本発明は、引き戸、および開き戸の開放幅を規制する用心錠に関する。
【０００２】
【従来の技術】
従来より、引き戸、および開き戸の開度を制限して外来者の不法侵入を防止する手段として用心錠が多用されており、例えば、特開２００１−３２９７２９号公報には、開き戸の開度を制限するドア用開度規制錠装置が公開されている。
【０００３】
このドア用開度規制錠装置は、鎖によって戸の開度を規制しつつ、施錠状態で在宅家人が急病などで倒れるなどした場合には、鎖の中央部に設けられたダイヤル錠を解除して、ドアを開放することができるものである。
【０００４】
【発明が解決しようとする課題】
しかしながら、上記従来のドア用開度規制錠装置では、組み付けられる戸が開き戸に限定されるとともに、使用者の要求に応じて戸の開度を変えることが困難であった。
【０００５】
そこで本発明は、使用者の要求に応じて戸の開度を自在に変更することができる用心錠を提供することを目的とする。
【０００６】
【課題を解決するための手段】
かかる目的を達成するために請求項１に記載の発明は、ケース内に回動自在に設けられ且つ付勢部材によって一回転方向に付勢されたリールと、このリールに巻かれて引出しと巻取りが自在になされるロックワイヤと、このロックワイヤが所定の長さに引き出された場合には該ロックワイヤが引き出される方向への前記リールの回転を阻止するラチェット機構とを備えることで戸の開き幅を規制する用心錠であって、前記ラチェット機構が、前記リールに着脱自在に、且つ、該リールと共に回転するように設けられたラチェットホイールと、前記ケースに揺動自在に配設され、前記ラチェットホイールの切欠部と係合して前記リールの回転を阻止するラチェットアームとから構成されたことを特徴とする。
【０００７】
請求項２に記載の発明は、請求項１に記載の用心錠において、前記リールと前記ラチェットホイールがスプライン結合されていることを特徴とする。
【０００８】
請求項３に記載の発明は、請求項１、または請求項２に記載の用心錠において、前記ラチェットホイールとラチェットアームの係合を保持・解除するロック機構が前記ケース内に設けられたことを特徴とする。
【０００９】
【発明の実施の形態】
本発明の実施の形態を図面を参照して詳細に説明する。図１は、本発明に係る用心錠の一実施形態の構成を示すシステム構成図である。
【００１０】
図１に示されるように、本実施形態の用心錠１には、戸または戸口のどちらか一方に配設されるケース１０の内部にリール２０とラチェット機構３０とロック機構としてのガードロック４０が具備され、リール２０にロックワイヤ１５が巻き付けられている。
【００１１】
リール２０は、リール軸２１とホイール２２、２２、および付勢部材としての巻きバネ（不図示）から構成されている。また、リール２０は、リール軸２１両端の支承部２３、２３でケース１０の側壁１１、１１に回転自在に支承されている。ホイール２２、２２は、リール軸２１の両端部にそれぞれ設けられている。一方のホイール２２′はリール軸２１と一体に形成されているが、他方のホイール２２（ラチェットホイール）は、ラチェット係合部２４とカム山２５を備え、且つリール軸２１に設けられたスプライン部２６に着脱自在に係合保持されている。
【００１２】
ロックワイヤ１５は、一端がリール軸２１に固定されているので、ロックワイヤ１５を引き出す際にリール２０が回転して巻きバネが巻かれて蓄勢力が蓄えられる。そして、この蓄勢力が引き出されたロックワイヤ１５を巻き取る際にリール２０を回転する駆動力になっている。
【００１３】
ラチェット機構３０は、ラチェットアーム３１とラチェットスプリング３２、およびガードロック係合部３３から構成されている。ラチェットアーム３１は、一端側３５に設けられたアーム支承部３７によってケース１０の側壁１１、１１に揺動自在に支承されている。また、他端側３６にはラチェット係止部３４が設けられており、ラチェット係止部３４とラチェット係合部２４とが係合することで、リール２０の回転を阻止する。さらに、ラチェットスプリング３２は、ラチェットアーム３１のラチェット係合部２４とラチェット係止部３４との係合を解除する方向にラチェットアーム３１を付勢している。
【００１４】
ガードロック４０は、操作部４１とラチェットロック部４２から構成されている。操作部４１は、両端４３、４３をケース１０の側壁１１、１１にスライド自在に配設されている。また、ラチェットロック部４２は、可撓性のバネ材からなり、一端４４が操作部４１に固定されている。
【００１５】
なお、ケース１０には、ロックワイヤ１５の取出し口が２カ所１２、１３設けられている。一方の取出し口は上方取出し口１２で、図５（ａ）に示されるように、ロックワイヤ１５の先端を相手側に固定して用心錠１を常時使用する場合に上方取出し口１２からロックワイヤ１５を取出す際に使用される。また、他方の取出し口は側方取出し口１３で、図４（ａ）、（ｂ）、および図５（ｂ）に示されるように、居住者が必要に応じて用心錠１を施錠する場合に側方取出し口１３からロックワイヤ１５を取り出す際に使用される。ここで、ロックワイヤ１５は、側方取出し口１３の近傍に設けられた滑車１４を介して側方取出し口１３から取出されており、ロックワイヤ１５の引き出しと巻き取りをスムーズに行うことができる。
【００１６】
また、外来者の不法侵入を防止することを考えた場合に、用心錠で開くことのできる最大幅は引き戸、および開き戸を問わずほぼ一定である。したがって、ラチェットホイールが１周することでこの最大幅を開くことができるようにラチェットホイールとリールの大きさが設定されている。
【００１７】
図２には、用心錠１が解錠され、ロックワイヤ１５の引き出しと巻き取りが自在に行える状態が示されている。この状態では、ガードロック４０が可動域の一端側に保持されているので、ラチェットロック部４２の他端側４５がラチェットアーム３１と接しない位置にラチェットロック部４２が保持されている（解除状態）。これにより、ラチェットスプリング３２によって、ラチェットアーム３１のラチェット係合部２４とホイール２２のラチェット係止部３４との係合が解除される位置にラチェットアーム３１が保持され、ロックワイヤ１５の引き出しと巻き取りを自在に行うことができる。
【００１８】
図３には、用心錠１が施錠され、ロックワイヤ１５を引出すことができない状態が示されている。この状態では、ガードロック４０が可動域の他端側に保持されているので、ラチェットロック部４２の他端側４５でラチェットアーム３１がホイール２２に押さえつけられている（ロック状態）。これにより、ラチェット係合部２４とラチェット係止部３４との係合が保持されている。したがって、ロックワイヤ１５が引き出される方向にリール２０が回転しようとすると、ラチェット係合部２４とラチェット係止部３４が係合して、リール２０の回転が阻止されるが、ロックワイヤ１５が巻き取られる方向にリールが回転しようとすると、ラチェット係止部３４はラチェット係合部２４との係合が解除され、さらにラチェット係止部３４がカム山２５を乗り越えてホイール２２の外周を空回りし、リール２０の回転に支障を与えることがない。
【００１９】
図４には、本実施形態の用心錠１を引き戸５０に用いた場合を示したもので、（ａ）は用心錠１のケース１０を引き戸５１に組み付け、ストライク５３を戸口５２に設けて、居住者の要求に応じてロックワイヤ１５の先端をストライク５３に係合させて施錠する形態の用心錠１が示され、（ｂ）は用心錠１のケース１０を戸口５２に組み付け、ストライク５３を引き戸５１に設けて、（ａ）と同様に、居住者の要求に応じてロックワイヤ１５の先端をストライク５３に係合させて施錠する形態の用心錠１が示されている。
【００２０】
図４（ａ）、（ｂ）はともに、ロックワイヤ１５がケース１０の側方取出し口１３から引き出され、居住者の手元で用心錠の施錠・解錠が行えるようにロックワイヤ１５の先端が側方取出し口１３から取り出されている。
【００２１】
なお、ケース１０を引き戸５１、または戸口５２の内壁に組み付けた場合は、上方取出し口１２から引き出すことができる。
【００２２】
図５（ａ）、（ｂ）は、本実施形態の用心錠１を開き戸６０に用いて、常に用心錠が施錠されている場合が示されている。図５（ａ）は、ケース１０が扉６１のドアノブ６２周辺に配設され、ロックワイヤ１５は、ケース１０の上方取り出し口１２から引き出され、扉６１の上端から戸口５２の上部にロックワイヤ１５の先端が固定されている。これにより、常にロックワイヤ１５が戸口５２に固定されていても、人が出入りする妨げにはならない。また、用心錠１が常に施錠されているので、ロック状態のガードロック４０を解除状態にすることで扉を開閉する。
【００２３】
図５（ｂ）は、側方取出し口１３から引き出される形態のもので戸口６３の内壁にケース１０を組み付け、ロックワイヤ１５が上方取出し口１２から引き出されるようにしてもよい。
【００２４】
以上の構成により、リールとラチェットホイールが着脱自在にスプライン結合されているので、スプラインの噛み合わせ位置をずらすことで、ロックワイヤが引き出される長さを自在に変えることができる。なお、リール軸２１にキー溝を設けるとともにホイール２２に複数のキー溝を設けることで、同様の効果を得ることができる。
【００２５】
また、ラチェットホイールとラチェットアームとの係合を保持・解除するロック機構が設けられているので、ロックワイヤを操作することなく、外来者の不法侵入を阻止する状態と全開状態に戸の開度を切り換えることができる。
【００２６】
さらに、余分なロックワイヤ１５はリール２０に常に巻き取られ、たるむことがないので、ストライク５３からロックワイヤ１５の先端を引き抜くことが困難になり、防犯性を向上させることができる。
【００２７】
さらにまた、ストライクの溝の長さをガードロック４０がロック状態で引き出すことができるロックワイヤ１５の長さよりも長くすることで、戸を半開きにした状態ではロックワイヤ１５の先端をストライク５３から外すことが不可能になり、防犯性が向上する。この場合、用心錠１を解錠する場合には、ガードロック４０を解除状態にすることでロックワイヤ１５の引き出しが自在になるので、ロックワイヤ１５の先端をストライク５３から外すことができる。
【００２８】
図４（ａ）、（ｂ）の場合には、ロックワイヤの先端が固定されているので、常に外来者の不法侵入を阻止することができる。
【００２９】
図５の場合には、ストライクとロックワイヤの先端部を係合させることでロックワイヤの先端を固定するので、在宅者の要望に応じて用心錠を機能・解除を選択することができる。
【００３０】
加えて、図４に示されるような引き戸に組み付けた用心錠を図５に示されるような常に施錠状態にすることは可能であり、図５に示されるような開き戸に組み付けた用心錠を図４に示されるような居住者の要求に応じて施錠・解錠をできるように組み付けることが可能である。つまり、戸の種類を選ぶことなく用心錠を組み付けることができる。
【００３１】
なお、本実施形態の用心錠１のラチェット機構３０では、ホイール２２の巻き取り方向への回転を止めることはできないが、ホイールとラチェットアームの形状を変えることでホイールの巻き取り方向への回転を止めることができるので、戸の開度を一定に保つことができるので、外来者の不法侵入を阻止しつつ、室内の換気を行なったり、犬や猫などのペットが自由に出入りすることができる。
【００３２】
【発明の効果】
請求項１に記載の本発明によれば、リールに対して着脱自在にラチェットホイールが設けられているので、ラチェットホイールを交換することにより、ロックワイヤが引き出される長さを自在に変えることができる。
【００３３】
請求項２に記載の本発明によれば、リールとラチェットホイールが着脱自在にスプライン結合されているので、スプラインの噛み合わせ位置をずらすことで、ロックワイヤが引き出される長さを自在に変えることができる。
【００３４】
請求項３に記載の本発明によれば、ラチェットホイールとラチェットアームとの係合を保持・解除するロック機構が設けられているので、ロックワイヤを操作することなく、外来者の不法侵入を阻止する状態と全開状態に戸の開度を切り換えることができる。
【００３５】
また、ラチェットホイールとラチェットアームとの係合を保持することで、戸を一定の開度に保つことができるので、外来者の不法侵入を阻止しつつ、室内の換気を行なったり、犬や猫などのペットが自由に出入りすることができる。
【図面の簡単な説明】
【図１】本発明に係る用心錠の一実施形態を示す斜視図である。
【図２】ガードロックの解除状態を示す正面図である。
【図３】ガードロックのロック状態を示す正面図である。
【図４】（ａ）は本実施形態の用心錠を引き戸の戸側に組み付けた状態を示す平面図で、（ｂ）は本実施形態の用心錠を引き戸の戸口側に組み付けた状態を示す平面図である。
【図５】（ａ）は本実施形態の用心錠を開き戸に組み付け、ロックワイヤを上方取出し口から引き出した場合を示す斜視図で、（ｂ）は本実施形態の用心錠を開き戸に組み付け、ロックワイヤを側方取出し口から引き出した場合を示す斜視図である。
【符号の説明】
１…用心錠
１０…ケース
１５…ロックワイヤ
２０…リール
２２…ホイール（ラチェットホイール）
２４…ラチェット係合部
２６…スプライン部
３０…ラチェット機構
３１…ラチェットアーム
４０…ガードロック（ロック機構）
５０…引き戸（戸）
６０…開き戸（戸）
【図１】
2004019216.tif 000003
【図２】
2004019216.tif 000004
【図３】
2004019216.tif 000005
【図４】
2004019216.tif 000006
【図５】
2004019216.tif 000007